(57)【要約】【課題】不陸の面状部に太陽電池パネル等の構造物を容易且つ安定的に設置することができる取付金具、及びこれを利用した取付装置、取付方法を提供する。【解決手段】大筒体２と、前記大筒体２の内部に羅入される小筒体３と、軸部４ｂと頭部４ａからなり前記小筒体３の内部に羅入されるボルト体４からなり、前記小筒体３にはボルトの頭部と同様の頭部４ａが設けられている取付金具１、及びこれを利用した取付装置、取付方法である。【選択図】図１
2013104191.tif 000002
【特許請求の範囲】
【請求項１】
大筒体と、該大筒体の内部に羅入される小筒体と、軸部と頭部からなり前記小筒体の内部に羅入されるボルト体からなり、
前記小筒体には頭部が設けられていることを特徴とする取付金具。
【請求項２】
大筒体の基底側に固定部が設けられていることを特徴とする請求項１に記載の取付金具。
【請求項３】
大筒体と小筒体の間、又は小筒体とボルト体の間のいずれか一方が逆ネジになっていることを特徴とする請求項１又は請求項２に記載の取付金具。
【請求項４】
小筒体にナットが螺嵌されていることを特徴とする請求項１又は２に記載の取付金具。
【請求項５】
請求項１乃至請求項４のいずれかに記載の複数個の取付金具と、太陽電池パネル取付具とからなり、
前記太陽電池パネル取付具は方形状のフレームからなり、該フレームには複数個の透孔を有する取付部が設けられていることを特徴とする太陽電池パネルの取付装置。
【請求項６】
請求項５に記載の取付装置を用いて太陽電池パネルを面状部に取り付ける方法であって、
前記取付金具の大筒体を面状部に取り付け、
前記小筒体を前記大筒体に羅入してから、該小筒体の頭部のレベルを調節した後、
太陽電池パネル取付具を前記小筒体の頭部に載置し、
ボルト体を、前記取付装置の取付部の透孔に挿通してから、前記小筒体に羅入緊締することを特徴とする太陽電池パネルの取付方法。
【請求項７】
面状部が既設の擁壁であることを特徴とする請求項６に記載の太陽電池パネルの取付方法。
【発明の詳細な説明】
【技術分野】
【０００１】
本発明は、擁壁等の面状部に太陽電池パネル等の構造物を取り付けるための取付金具、及びこれを用いた取付装置並びに取付方法に係り、更に詳しくは、既設の擁壁表面等の如き不陸の面状部の表面であっても、面状部と取り付ける構造物の間の距離のばらつきを吸収して容易且つ安定的に構造物を取り付けることが出来る取付金具及び取付装置並びに取付方法に関する。
【背景技術】
【０００２】
従来より、切り土や盛り土によって形成された斜面の崩壊を防ぐために広く擁壁が構築されている。近年では、道路に面する山や土手、河川の堤防等の斜面を有効に使用するために、擁壁を構築するための土木用ブロックとして、例えば太陽電池パネル等の構造物が配置された土木用ブロックを用い、この擁壁で太陽光発電を行うことが提案されている（例えば、特許文献１参照）。
【０００３】
しかしながら、新規に構築される擁壁の斜面は上記の土木用ブロックで有効利用できるものの、既設の擁壁の斜面については有効利用することはできない。既設の擁壁から古い土木用ブロックを一旦取り除いてから上記の土木用ブロックを用いて新たな擁壁を再構築することも可能であるが、手間とコストがかかりすぎるため現実的ではない。
また、従来の擁壁は、殆どの場合、擁壁面の利用については全く考慮されておらず、また、長年の風雨により表面が凹凸状の不陸になっていることが多いため、ボルトやナットなど、通常の取付金具では太陽電池パネル等の構造物を安定的に固定することができず、不陸を平らにした後に取り付けることが必要で、手間がかかり、コストも高くならざるを得ない。
従って、既設の擁壁は放置されたままであり、日当たりの良い斜面であっても殆ど利用されていないのが実情である。
【先行技術文献】
【特許文献】
【０００４】
【特許文献１】特開２０１１−１９６０１６号公報
【発明の概要】
【発明が解決しようとする課題】
【０００５】
本発明は、上記実情に鑑みてなされたものであって、既設の擁壁等の如き不陸の面状部の表面にでも太陽電池パネルのような構造物を容易且つ安定的に取り付けて、日当たりの良い擁壁面を有効に活用することができる取付金具及び取付装置並びに太陽電池パネル等構造物の取付方法を提供することを目的とする。
【課題を解決するための手段】
【０００６】
上記目的を達成するために、本発明の特徴の第１は、大筒体と、該大筒体の内部に羅入される小筒体と、軸部と頭部からなり前記小筒体の内部に羅入されるボルト体からなり、前記小筒体には頭部が設けられている取付金具を内容とする。
【０００７】
本発明の特徴の第２は、大筒体の基底側に固定部が設けられている上記の取付金具を内容とする。
【０００８】
本発明の特徴の第３は、大筒体と小筒体の間、又は小筒体とボルト体の間のいずれか一方が逆ネジになっている上記の取付金具を内容とする。
【０００９】
本発明の特徴の第４は、小筒体にナットが螺嵌されている上記の取付金具を内容とする。
【００１０】
本発明の特徴の第５は、上記の複数個の取付金具と、太陽電池パネル取付具とからなり、前記太陽電池パネル取付具は方形状のフレームからなり、該フレームには複数個の透孔を有する取付部が設けられている取付装置を内容とする。
【００１１】
本発明の特徴の第６は、上記の取付装置を用いて太陽電池パネルを面状部に取り付ける方法であって、前記取付金具の大筒体を面状部に取り付け、前記小筒体を前記大筒体に羅入してから、該小筒体の頭部のレベルを調節した後、太陽電池パネル取付具を前記小筒体の頭部に載置し、ボルト体を、前記取付装置の取付部の透孔に挿通してから、前記小筒体に羅入緊締する太陽電池パネルの取付方法を内容とする。
【００１２】
本発明の特徴の第７は、面状部が既設の擁壁である上記の太陽電池パネルの取付方法を内容とする。
【発明の効果】
【００１３】
本発明の取付金具は、前記大筒体の内部に羅入される小筒体と、軸部と頭部からなり前記小筒体の内部に羅入されるボルト体からなり、前記小筒体には頭部が設けられているので、大筒体を既設の擁壁等の如き不陸の面状部に固定した際にも、小筒体の頭部のレベルを調節して、太陽電池パネル等の構造物を容易且つ安定的に取り付けることができる。
【００１４】
大筒体と小筒体の間、又は小筒体とボルト体の間のいずれか一方を逆ネジにすれば、ボルト体を羅入緊締する際に小筒体が供回りして小筒体の頭部のレベルが調節し難いといった不都合を解消することができる。
また、小筒体にナットを螺嵌しておき、頭部のレベルを調整した後でナットを締め込むことによっても、ボルト体を羅入緊締する際の小筒体の供回りを防ぐことができる。
【００１５】
大筒体の基底部に固定部を設けると、固定用のビスやボルトで大筒体を面状部に固定することができるので、作業性が向上する。
【図面の簡単な説明】
【００１６】
【図１】図１は本発明の取付金具の一例を示す概略断面図である。
【図２】図２は本発明の取付金具の別例を示す概略断面図である。
【図３】図３は図１の取付金具の使用方法を示す概略説明図である。
【図４】図４は図２の取付金具の使用方法を示す概略説明図である。
【図５】図５は本発明の取付金具の更に別例を示す概略断面図である。
【図６】図６は本発明の取付金具の更に別例を示す概略断面図である。
【図７】図７は本発明の取付装置で使用するフレームの一例を示す斜視図である。
【図８】図８は図７に示すフレームを有する取付装置を用いて太陽電池パネルを取り付けた状態を示す概略説明図である。
【図９】図９は本発明の取付装置で使用するフレームの別例を示す斜視図である。
【図１０】図１０は図９に示すフレームを有する取付装置を用いて太陽電池パネルを取り付けた状態を示す概略説明図である。
【図１１】図１１は本発明の取付装置を用いて太陽電池パネルを取り付けた状態の更に別例を示す概略説明図である。
【発明を実施するための形態】
【００１７】
本発明の取付金具１は、図１に示すように、大筒体２と、該大筒体２の内部に羅入される小筒体３と、軸部４ｂと頭部４ａからなり前記小筒体３の内部に羅入されるボルト体４からなり、前記小筒体３には頭部３ａが設けられていることを特徴とする。
【００１８】
本発明において大筒体２とは概ね筒状の部材であり、内周面に後述の小筒体３を羅入するための雌ネジが刻設されている。大筒体２の外周面の形状は特に限定されず、単純な円柱状であっても良いが、面状部に埋め込む際にアンカー効果が発揮されるように凸部（図示せず）を設けてもよい。また、図２に示すように、基底側に貫通孔が穿設された板状の固定部２ａを設け、この固定部２ａの貫通孔にアンカーボルト等を挿通することにより面状部に固定するように構成してもよい。
【００１９】
前記大筒体２の内部には小筒体３が羅入される。本発明において小筒体３とは概ね筒状の部材であり、外周面には大筒体２の内部に羅入されるための雄ネジが螺設されると共に、内周面には後述のボルト体４を羅入するための雌ネジが螺設されている。また、外端側には頭部３ａが設けられている。
本発明において、小筒体３の頭部３ａは、大筒体２の内部に羅入させるための回動部（駆動部）となるとともに、太陽電池パネル等の構造体を載置するためのもので、その形状は、内部に羅入するボルト体４と干渉しない形状であれば特に限定されないが、例えば六角ボルトと同様の六角柱状とすれば、回動部として使用できるとともに構造物を載置しやすくなるので好ましい。尚、構造物の載置の観点からは、通常のボルトの頭部よりも大き目とすることも可能である。
【００２０】
前記小筒体３の内部にはボルト体４が羅入される。本発明においてボルト体４とは、軸部４ｂと頭部４ａからなる通常のボルトと同様の構成であり、従来よりボルトとして使用されているものが全て本発明のボルト体４として使用できる。
本発明においては、設置しようとする構造物（例えば太陽電池パネルＰ）を小筒体３の頭部３ａとボルト体４の頭部４ａとの間で挟持するように構成されるため、設置しようとする構造物を傷つけないため、ボルト体の頭部４ａの下端が面状になっている形状、例えば六角ボルトと同様の六角柱状のほうが好ましい。また、必要に応じ、構造体への傷の付着を防止したり、シール性を付与するために、ボルト体４の頭部４ａの下面及び／又は小筒体３の頭部３ａの上面にクッション材やシール材を貼設することもできる。
【００２１】
上記した取付金具１は、図３又は図４に示すように、大筒体２を、例えば、表面が凹凸の不陸の面状部Ｇに固定してから、小筒体３を回動させることにより頭部３ａのレベルを調節し、設置しようとする構造物（太陽電池パネル等）Ｐを頭部３ａの上に載置してからボルト体４を小筒体３に羅入緊締することによって、構造物Ｐを挟持固定する。なお、図３は図１の取付金具１を用い、大筒体２全体を面状部Ｇに埋め込んだ例を示し、図４は図２の取付金具１を用い、アンカーボルト２ｂで取付金具１を面状部Ｇに固定した例を示す。図示したように、本発明の取付金具１を用いることにより、不陸の表面であっても、同じレベル（水平等）に構造物Ｐを容易且つ安定的に取り付けることができる。
【００２２】
上記のような取付金具１では、ボルト体４を羅入緊締するためにボルト体４を回動させると小筒体３が供回りし、頭部３ａのレベルが調節できず構造物を所定のレベルに挟持固定しにくくなるなる可能性がある。
このような場合、通常はレンチを二本用い、一本で下側にある小筒体の頭部３ａを固定しつつ、他の一本で上側にあるボルト体の頭部４ａを回動させるが、本発明の場合、上側の頭部４ａと下部の頭部３ａの間に構造物を挟持するので、構造物の形状によっては下側の頭部３ａをレンチで固定できない場合がある。
このような場合、図５に示すように、大筒体２と小筒体３の間、又は小筒体３とボルト体４の間のいずれか一方を逆ネジとすれば、ボルト体４を回動させる際に小筒体３が供回りを防ぐことができる。
【００２３】
小筒体３とボルト体４の供回りを防ぐ別の方法としては、図６に示すように、小筒体３と大筒体２の間をナット３ｂで固定する方法がある。具体的には、予め小筒体３にナット３ｂを螺嵌しておき、頭部３ａのレベルを調整した後でナット３ｂを締め込むことによって、小筒体３の供回り防ぐことができる。この場合、ナット３ｂは一つであってもある程度小筒体３の供回りを防ぐことができるが、図６に示すように、ダブルナット（ロックナット）にすれば、確実に供回りを防止することができる。
【００２４】
上記した取付金具１を用いれば、例えば看板のように、薄型で固定用の透孔を適宜穿設することができ少々のゆがみで破損しないような単純な構造物なら、小筒体３とボルト体４の間で挟持して、面状部Ｇに固定することができる。しかしながら、太陽電池パネルＰのような精密で脆弱な構造物を直接固定すれば、挟圧により破損して十分な機能を発揮できない場合がある。
このような場合は、例えば図７に示したような、複数個の透孔５ｂを有する取付部５ａが設けられた方形状のフレーム５を用いれば、図８に示したように、太陽電池パネルＰのような精密で脆弱な構造物であっても、既設の擁壁のような不陸の面状部Ｇに固定することができる。
また、図９に示したような、下端が板状に形成されたフレーム５を用いれば、図１０に示すように、板状の内側に傾動自在の固定金具６を設けることにより、太陽電池パネルＰを適切な角度に傾斜させて設置することができる。図９では、固定金具６として、ヒンジを用いることにより、太陽電池パネルＰの傾斜角を変えることができるので、太陽の位置に合わせて傾斜角を変えて最も効率的に太陽光を利用することが可能である。
【００２５】
以上、既設の擁壁等における不陸の面状部に太陽電池パネル等の構造物を取り付ける場合を例に説明したが、本発明の取付金具、取付装置、取付方法は瓦葺きの屋根など比較的角度の浅い面状部や、陸屋根のように凹凸がない平らな面状部にも広く用いることができる。
例えば、面状部Ｇが平らな斜面であった場合、図１１に示したように、取付金具１の長さを調節することによっても、効率的に日光を受光できる適当な角度に太陽電池パネルＰの角度を調節することができる。
図１１に示した例では、面状部Ｇの傾斜角が小さすぎて発電効率が悪化するので、太陽電池パネルＰの後端部を固定する取付金具１の長さを長くし、前端部を固定する取付金具１の長さを短くすることによって、太陽電池パネルＰの角度を面状部Ｇの傾斜角よりも大きくしている。また、図１１に示した例とは逆に、面状部Ｇの角度が大きすぎる場合は、前端部を固定する取付金具１の長さを長くし、後端部を固定する取付金具１の長さを短くすることによって、太陽電池パネルＰの角度を面状部Ｇの傾斜角よりも小さくすることもできる。更に、陸屋根の如く、水平な面状部に、太陽電池パネルＰを傾斜させて設置し太陽光の利用効率を高めることも可能である。
【００２６】
尚、図２に示したような、面状部Ｇの表面に固定するタイプの取付金具１を用いる場合、平らな面状部Ｇに、当該面状部Ｇの傾斜角と異なる角度で太陽電池パネルＰを設ければ、大筒体２の固定部２ａと面状部Ｇの間に楔形の隙間が形成され、このままでは取付金具１を安定的に固定することができない。
このような場合は、図１１に示すように、勾配調整材Ｇａを大筒体２の固定部２ａと面状部Ｇの間に介設すれば、取付金具１を安定に固定することができる。勾配調整材Ｇａとしては、シール材、パッキン材、楔形プレート等が例示できるが、樹脂や金属等の剛性部材からなる楔形プレートが、取付金具１の安定性の観点から好ましい。
以上、本発明を面状部として擁壁を中心に説明したが、本発明はこれらに限られず、表面が未利用のままで放置されている橋脚、貯水池のダムを形成している壁体、各種建築物や構築物の外壁等を含むものである。
【産業上の利用可能性】
【００２７】
本発明の取付金具は、大筒体と、前記大筒体の内部に羅入される小筒体と、軸部と頭部からなり前記小筒体の内部に羅入されるボルト体からなり、前記小筒体には頭部が設けられているので、不陸の面状部に太陽電池パネル等の構造物を設置する際であっても、小筒体の頭部のレベルを調整することにより、面状部と構造物の間の距離のばらつきを吸収して所定のレベルで構造物を取り付けることができる。特に、太陽電池パネルを不陸の表面を有する既設擁壁等の面状部に好適に設置することができ、未利用の状態で放置されている広大な既設擁壁面等の面状部を太陽光発電所に変えることができる。
【符号の説明】
【００２８】
１  取付金具
２  大筒体
２ａ  固定部
２ｂ  アンカーボルト
３  小筒体
３ａ  頭部
３ｂ  ナット
４  ボルト体
４ａ  頭部
４ｂ  軸部
５  フレーム
５ａ  取付部
５ｂ  透孔
６  固定金具
Ｐ  構造物（太陽電池パネル）
Ｇ  面状部
Ｇａ  勾配調整材
【図１】
2013104191.tif 000003
【図２】
2013104191.tif 000004
【図３】
2013104191.tif 000005
【図４】
2013104191.tif 000006
【図５】
2013104191.tif 000007
【図６】
2013104191.tif 000008
【図７】
2013104191.tif 000009
【図８】
2013104191.tif 000010
【図９】
2013104191.tif 000011
【図１０】
2013104191.tif 000012
【図１１】
2013104191.tif 000013